(57)【要約】【課題】水平姿勢に落とし込まれて使用されるテーブルの使用状態を安定させられるようにすること。【解決手段】テーブル移動装置１０Ｍは、テーブル本体１１を支持台に連結された支持アーム１２に対して起倒回転可能に連結すると共に、テーブル本体１１と支持アーム１２との間に上記の起倒回転に追従する従動部材１４を有する。従動部材１４がテーブル本体１１と支持アーム１２とに回転可能に連結され、支持アーム１２が伸縮可能な構成とされることで、支持アーム１２と従動部材１４とテーブル本体１１とによってスライダリンク機構が構成されている。テーブル本体１１が斜め角度の退避位置の状態では、支持アーム１２が伸張して従動部材１４が支持アーム１２に対して倒伏した姿勢状態をとり、テーブル本体１１が使用位置に落とし込まれることにより支持アーム１２が収縮し従動部材１４がテーブル本体１１と支持アーム１２との間で起立した姿勢となる。【選択図】図１２
2015217784.tif 000002
【特許請求の範囲】
【請求項１】
乗物用テーブルであって、
物載せとなるテーブル本体と、
該テーブル本体をベースに対して動かせる状態に連結するテーブル移動装置と、を有し、
前記テーブル移動装置は、前記テーブル本体を前記ベースに連結された支持アームに対して、所定の退避角度まで起こし上げた退避位置と、物載せとして使用可能な水平角度まで落とし込んだ使用位置と、の間で起倒回転させられる状態に連結すると共に、前記テーブル本体と前記支持アームとの間に前記テーブル本体の起倒回転する動きに追従して動く従動部材を有した構成となっており、
前記従動部材は、前記テーブル本体と前記支持アームとにそれぞれ回転可能に連結された構成とされ、前記支持アームは、前記テーブル本体と前記ベースとを繋ぐ繋ぎ方向に伸縮可能な構成とされ、当該構造により前記支持アームと前記従動部材と前記テーブル本体とによってスライダリンク機構が構成されており、
前記テーブル本体が前記退避位置の状態では前記支持アームが伸張して前記従動部材が前記支持アームに対して倒伏した姿勢状態をとるが、前記テーブル本体が前記使用位置に落とし込まれることにより前記支持アームが収縮して前記従動部材が前記テーブル本体と前記支持アームとの間で起立した姿勢状態となり、前記テーブル本体の前記支持アームとの連結部から前記従動部材との連結部が位置する側の領域部に押下方向の負荷がかけられても前記支持アームには前記従動部材を支えとした収縮方向の作用力がかけられる状態として前記テーブル本体の前記退避位置に向けての回転移動が規制されるようになっていることを特徴とする乗物用テーブル。
【請求項２】
請求項１に記載の乗物用テーブルであって、
前記支持アームが前記テーブル本体の回転する半径方向の中間部に連結されており、前記従動部材が前記テーブル本体の前記支持アームとの連結部より半径方向の内側の領域部と前記支持アームとの間に連結されていることを特徴とする乗物用テーブル。
【請求項３】
請求項１又は請求項２に記載の乗物用テーブルであって、
前記テーブル本体が前記使用位置に落とし込まれた時の前記従動部材の前記テーブル本体からの起立角度が直角以下となるように設定されていることを特長とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、乗物用シートの側部のアームレストに対して回転可能に連結されており、着座者の前部に展開された使用位置と、同使用位置から横向きに跳ね上げてアームレストの外側面に重なる位置まで落とし込まれた収納位置と、の間で展開・収納できるようになっている。
【先行技術文献】
【特許文献】
【０００３】
【特許文献１】特開平９−７０３３４号公報
【発明の概要】
【発明が解決しようとする課題】
【０００４】
上記従来技術では、テーブルが使用位置に落とし込まれた状態で高さ方向にバタつける構成となっているため、使用性が悪い。本発明は、上述した問題を解決するものとして創案されたものであって、本発明が解決しようとする課題は、水平姿勢に落とし込まれて使用されるテーブルの使用状態を安定させられるようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体をベースに対して動かせる状態に連結するテーブル移動装置と、を有する。テーブル移動装置は、テーブル本体をベースに連結された支持アームに対して、所定の退避角度まで起こし上げた退避位置と、物載せとして使用可能な水平角度まで落とし込んだ使用位置と、の間で起倒回転させられる状態に連結すると共に、テーブル本体と支持アームとの間にテーブル本体の起倒回転する動きに追従して動く従動部材を有した構成となっている。従動部材は、テーブル本体と支持アームとにそれぞれ回転可能に連結された構成とされ、支持アームは、テーブル本体とベースとを繋ぐ繋ぎ方向に伸縮可能な構成とされ、これらの構成により支持アームと従動部材とテーブル本体とによってスライダリンク機構が構成されている。テーブル本体が退避位置の状態では、支持アームが伸張して従動部材が支持アームに対して倒伏した姿勢状態をとるが、テーブル本体が使用位置に落とし込まれることにより、支持アームが収縮して従動部材がテーブル本体と支持アームとの間で起立した姿勢状態となる。これにより、テーブル本体の支持アームとの連結部から従動部材との連結部が位置する側の領域部に押下方向の負荷がかけられても、支持アームには従動部材を支えとした収縮方向の作用力がかけられる状態として、テーブル本体の退避位置に向けての回転移動が規制されるようになっている。
【０００７】
この第１の発明によれば、テーブル本体を使用位置に落とし込む動きによって、支持アームが収縮方向に移動すると共に従動部材がつっかえ棒として機能可能に起立した状態となる。これにより、上記従動部材がつっかえ棒となって、テーブル本体の使用位置での高さ方向のバタつきを抑えることができるようになる。また、上記状態では、テーブル本体の支持アームとの連結部から従動部材との連結部が位置する側の領域部に押下方向の負荷がかけられても、支持アームには従動部材を支えとした収縮方向の作用力（圧縮力）がかけられる状態となるため、テーブル本体の退避位置に向けての回転移動が規制される。したがって、テーブル本体が退避位置に向かって跳ね上げられてしまう不測の跳ね上がり回転を起こさせないようにすることができる。一方で、テーブル本体を退避位置に向けて持ち上げるように操作する時には、支持アームが伸張する方向に操作されるため、テーブル本体を簡単に退避位置に戻すことができる。
【０００８】
第２の発明は、上述した第１の発明において、次の構成とされているものである。すなわち、支持アームがテーブル本体の回転する半径方向の中間部に連結されており、従動部材がテーブル本体の支持アームとの連結部より半径方向の内側の領域部と支持アームとの間に連結されている。
【０００９】
この第２の発明によれば、従動部材をテーブル本体の下部に出張らせにくい状態に設けることができ、テーブル本体の下部スペースを広く空けられる構成とすることができる。
【００１０】
第３の発明は、上述した第１又は第２の発明において、次の構成とされているものである。すなわち、テーブル本体が使用位置に落とし込まれた時の従動部材のテーブル本体からの起立角度が直角以下となるように設定されている。
【００１１】
この第３の発明によれば、テーブル本体の支持アームとの連結部から従動部材との連結部が位置する側の領域部に押下方向の負荷がかけられた際に、支持アームには従動部材を支えとした収縮方向の作用力（圧縮力）がより安定してかけられやすくなため、テーブル本体の退避位置に向けての回転移動をより適切に規制することができる。
【図面の簡単な説明】
【００１２】
【図１】実施例１のテーブルが使用位置に展開された状態を示す斜視図である。
【図２】同正面図である。
【図３】図２の要部拡大図である。
【図４】テーブルの収納状態を示す斜視図である。
【図５】同正面図である。
【図６】同側面図である。
【図７】テーブルが収納位置から上方側に引き上げられた状態を示す斜視図である。
【図８】同正面図である。
【図９】テーブルが斜めの展開位置まで倒し込まれた状態を示す斜視図である。
【図１０】同正面図である。
【図１１】テーブルが上記斜めの展開位置から使用位置に倒し込まれた状態を示す斜視図である。
【図１２】同正面図である。
【図１３】テーブルが使用位置に展開された状態で中央領域に押下方向の負荷を受けた時の状態を示す正面図である。
【図１４】テーブルが使用位置に展開された状態で端側の領域に押下方向の負荷を受けた時の状態を示す正面図である。
【図１５】テーブルに引き上げ方向の荷重をかけた時の状態を示す正面図である。
【発明を実施するための形態】
【００１３】
以下に、本発明を実施するための形態について、図面を用いて説明する。
【実施例１】
【００１４】
始めに、実施例１のテーブル１０の構成について、図１〜図１５を用いて説明する。本実施例のテーブル１０は、図１〜図６に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１５】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。ここで、上記シート１の左側部に設けられた支持台４が本発明の「ベース」に相当する。具体的には、上述したテーブル移動装置１０Ｍは、テーブル本体１１を、支持台４の内部に収納した収納位置（図４〜図６に示す位置）と、着座者の前部に水平姿勢の状態に展開させた使用位置（図１〜図３に示す位置）と、の間で移動させることができるようになっている。ここで、上述したテーブル本体１１を収納するシート１の左側部に設けられた支持台４の上面部のアームレスト５は、テーブル本体１１の展開収納時に外側に開けられて支持台４の内部空間を上方側に開口させた状態とできるように、支持台４の上面部に開閉可能にヒンジ連結された状態となっている。
【００１６】
上述したテーブル移動装置１０Ｍは、図１〜図３に示すように、テーブル本体１１を支持台４に対して支持する支持アーム１２と、支持アーム１２を支持台４に対して高さ方向にスライドさせられる状態に連結するスライダ１３と、テーブル本体１１を支持アーム１２に対して起倒回転させる動きに追従して動く従動部材１４と、を有する。上述したスライダ１３は、図４〜図６及び図７〜図８に示すように、支持台４の内部に設けられたガイドレール４Ａに対して高さ方向にのみ移動可能となるように組み付けられた状態とされている。
【００１７】
具体的には、上述したスライダ１３は、その前後に立板状に張り出す各嵌合部１３Ａが、支持台４内部のスライダ１３の前後位置に設けられた高さ方向に延びる各ガイドレール４Ａのレール溝４Ａ１内にそれぞれ嵌め込まれていることにより、各レール溝４Ａ１の形状に沿って高さ方向にのみ移動可能となるようにガイドされて組み付けられた状態とされている。上記スライダ１３は、図７〜図８に示すように、上述した各レール溝４Ａ１内をスライドする各嵌合部１３Ａが、各レール溝４Ａ１の上端面に当たることで、その上方側へのスライドが係止されるようになっている。
【００１８】
支持アーム１２は、テーブル本体１１より前後方向の板幅の狭い平板状の部材によって構成されており、その下端部が上述したスライダ１３の上部に対して、シート前後方向に軸方向を向ける回転軸１２Ａ１により回転可能に連結された状態とされている。これにより、支持アーム１２は、図４〜図６及び図７〜図８に示すように、上述したスライダ１３上に対して、真っ直ぐ上方側に起立して、支持台４に対して高さ方向に出し入れ可能な状態となったり、図９〜図１０に示すように、回転軸１２Ａ１を中心にシート内側に倒されて支持台４からシート内側に張り出した状態となったりすることができる構成とされている。
【００１９】
上述した支持アーム１２は、詳しくは、図７〜図８に示すように、上述したスライダ１３が支持台４の内部において上方側への移動が係止される位置まで移動されることにより、図９〜図１０に示すように、支持台４のシート内側部に形成された開口部４Ｂからシート内側に張り出す形で倒し込むことができるようになっている。上記支持アーム１２は、スライダ１３が上記より低い位置までしか引き上げられていない状態では、上記のような倒し込みを行おうとしても、支持台４の内部側壁４Ｃに当たってしまい、倒し込みが行えないようになっている。
【００２０】
上記支持アーム１２は、上記図９〜図１０に示した状態まで倒し込まれることにより、その根元側となる下端部のシート内側面部に突出形成されたストッパ片１２Ａ３が支持台４の内部側壁４Ｃの上面部に形成されたストッパ面４Ｃ１に当たり、その傾倒が係止されるようになっている。上述したストッパ片１２Ａ３は、上述した支持台４の内部側壁４Ｃの上面部に形成されたストッパ面４Ｃ１に対して、高さ方向に真っ直ぐに面を当接させるようになっている。上記面当接によって、上述した支持アーム１２に連結されたスライダ１３の下方側への移動が係止された状態に留められると共に、テーブル本体１１から支持アーム１２にかけられる負荷が受け止められるようになっている。
【００２１】
テーブル本体１１は、図１〜図３に示すように、平板状の部材によって構成されており、その裏面側の中間部に、上述した支持アーム１２の上端部がシート前後方向に軸方向を向ける回転軸１２Ｂ１によって回転可能に連結された状態とされている。これにより、テーブル本体１１は、上述した支持アーム１２に対して回転軸１２Ｂ１を中心に首振り運動することができる状態とされている。具体的には、上述したテーブル本体１１は、図９〜図１０に示すように、上述した支持アーム１２が支持台４の内部から引き出されてシート内側に斜めに倒し込まれた状態において、支持アーム１２の上に形状を重ねた斜めの退避位置と、図１１〜図１２に示すように、上記退避位置から下方側に水平角度まで落とし込まれた使用位置と、の間で支持アーム１２に対して首振り運動により起倒回転させられるようになっている。
【００２２】
上述したテーブル本体１１は、図９〜図１０に示すように、上述した支持アーム１２の上に形状を重ねた退避位置の状態で、図７〜図８に示すように、支持アーム１２と共にスライダ１３の上部に真っ直ぐ上方側に起立した状態に畳まれたり、図４〜図６に示すように、支持アーム１２と共に支持台４の内部に落とし込まれて収納されたりするようになっている。また、上記テーブル本体１１は、上記支持台４の内部に収納された状態から、アームレスト５を外側に開いて、その内部に露呈するテーブル本体１１を上方側へ引き上げることにより、図７〜図８に示すように、支持アーム１２と共にスライダ１３を上方側へスライドさせながら支持台４の上部に引き出される。そして、テーブル本体１１は、上記支持台４の上部に引き出された後に、支持アーム１２と共にスライダ１３に対してシート内側に倒し込むように回転させることにより、図９〜図１０に示すように、支持アーム１２と共にシート内側に斜め上がりに傾斜した姿勢状態に展開される。
【００２３】
そして、上記テーブル本体１１は、上記斜めの角度に展開されることにより、自重によって支持アーム１２との回転軸１２Ｂ１を中心に水平角度まで落とし込まれて係止された状態となる（図１１〜図１２）。ここで、上記テーブル本体１１と支持アーム１２とを連結する回転軸１２Ｂ１は、テーブル本体１１の横幅方向（回転半径方向）の中央部よりシート外側寄りの位置に設定されている。このように設定されていることにより、テーブル本体１１は、上記支持アーム１２と共に図９〜図１０に示す斜めの角度まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用により、退避位置へ跳ね上げられにくい状態に保たれやすい構成とされている。
【００２４】
また、上記テーブル本体１１は、上記水平姿勢の使用位置に落とし込まれることにより、従動部材１４がこの動きに追従してテーブル本体１１と支持アーム１２との間に起立した状態となり、使用位置から退避位置に向けての跳ね上がり移動が従動部材１４によって阻止されるようになっている。具体的には、上記従動部材１４は、図９〜図１２に示すように、支持アーム１２の前側部と後側部とに位置する前後一対のリンク部材によって構成されている。上記従動部材１４は、上記一対のリンク部材の各上端部が、テーブル本体１１の横幅方向（回転半径方向）のシート外側の端部の裏面部に対して、シート前後方向に軸方向を向ける回転軸１４Ａにより回転可能に連結された状態とされている。
【００２５】
また、従動部材１４は、上記一対のリンク部材の各下端部が、支持アーム１２のアーム本体１２Ａの前側部と後側部とに、それぞれシート前後方向に軸方向を向ける回転軸１４Ｂにより回転可能に連結された状態とされている。これにより、従動部材１４は、テーブル本体１１が支持アーム１２に対して図９〜図１０で前述した退避位置と図１１〜図１２で前述した使用位置との間で起倒回転する動きに伴って、テーブル本体１１に対して回転軸１４Ａのまわりに回転し、支持アーム１２に対して回転軸１４Ｂのまわりに回転して、これらの間に起立した姿勢状態に切り換えられるようになっている。
【００２６】
ここで、上述したテーブル本体１１の支持アーム１２に対する起倒回転は、上述した従動部材１４を支えとした伸縮運動を伴って行われるようになっている。具体的には、上述した支持アーム１２は、中空板状のアーム本体１２Ａの内部にスライド板１２Ｂが支持アーム１２の横幅方向（回転軸１２Ａ１と回転軸１２Ｂ１とを繋ぐ方向）にスライド可能となる状態に嵌め込まれた構成となっている。上述したスライド板１２Ｂは、図９〜図１０に示すように、その伸張方向へのスライドが、アーム本体１２Ａとテーブル本体１１とを繋ぐ従動部材１４がアーム本体１２Ａと形状を重ねた倒伏した姿勢状態となることで、それ以上の伸張方向への移動ができない状態に規制されるようになっている。また、上述したスライド板１２Ｂの収縮方向へのスライドは、図１１〜図１２に示すように、スライド板１２Ｂがアーム本体１２Ａの中空内部に設けられた係止部１２Ａ２と当接することで規制されるようになっている。
【００２７】
上述した従動部材１４は、図９〜図１０に示したテーブル本体１１が支持アーム１２に形状を重ねた退避位置の状態にある時には、テーブル本体１１と面一状に支持アーム１２に対して倒伏した姿勢状態とされるようになっている。このとき、支持アーム１２は、上記従動部材１４が倒伏した姿勢状態とされていることに伴って、従動部材１４により押し出される形でスライド板１２Ｂがアーム本体１２Ａに対して伸張した状態とされるようになっている。
【００２８】
そして、上記従動部材１４は、図１１〜図１２に示すようにテーブル本体１１が水平姿勢の使用位置に落とし込まれる動きに伴って、支持アーム１２に対する姿勢を起立させていくようになっている。このとき、支持アーム１２は、上記従動部材１４が起立していく動きに伴って、スライド板１２Ｂがアーム本体１２Ａ内に向かって収縮する方向に移動していき、テーブル本体１１が水平姿勢の使用位置に到達すると共にスライド板１２Ｂがアーム本体１２Ａ内の係止部１２Ａ２に当たってその収縮移動が止められるようになっている。
【００２９】
上記水平姿勢の使用位置に落とし込まれたテーブル本体１１は、上述した起立姿勢の状態とされた従動部材１４の支（つか）えにより、その上面に押下方向の負荷がかけられても、水平姿勢の状態に安定して保持されるようになっている。詳しくは、上記テーブル本体１１は、図１３に示すように、その支持アーム１２と連結された回転軸１２Ｂ１より図示左側の広い横幅領域１１Ａに押下方向の荷重Ｐ１がかけられても、支持アーム１２にはスライド板１２Ｂをアーム本体１２Ａ内に収縮させる方向（下方向）の圧縮力がかけられると共に、テーブル本体１１と支持アーム１２との間に従動部材１４が引っ張った状態として介在していることにより、水平姿勢から更に押し下げられる方向の移動が規制されるようになっている。
【００３０】
また、テーブル本体１１は、図１４に示すように、その支持アーム１２と連結された回転軸１２Ｂ１より図示右側の狭い横幅領域１１Ｂに押下方向の荷重Ｐ２がかけられても、上述した支持アーム１２には同じようにスライド板１２Ｂをアーム本体１２Ａ内に収縮させる方向（下方向）の圧縮力がかけられると共に、テーブル本体１１と支持アーム１２との間に従動部材１４が支（つか）えとなって、その支持アーム１２と連結された回転軸１２Ｂ１まわりに水平姿勢から跳ね上げられる方向の移動も規制されるようになっている。
【００３１】
このように、テーブル本体１１は、上述した従動部材１４の支（つか）えによって、その上面上のどの領域に押下方向の荷重（Ｐ１，Ｐ２）がかけられても、水平姿勢の使用位置から押し下げられたり跳ね上げられたりすることがないように支えられる（ロックされる）ようになっている。上記従動部材１４によるテーブル本体１１の使用位置でのロック状態は、図１５に示すように、使用者がテーブル本体１１の支持アーム１２と連結された回転軸１２Ｂ１より図示左側の領域部を上方側に持ち上げるように操作することにより簡単に解除することができる。
【００３２】
具体的には、上述したテーブル本体１１の上記図示左側の領域部を上方側に持ち上げることにより、テーブル本体１１と支持アーム１２とを連結する回転軸１２Ｂ１が従動部材１４を支えとして上方側に引っ張られ、支持アーム１２がスライド板１２Ｂをアーム本体１２Ａから伸張させる方向にスライドさせる。これにより、従動部材１４が支持アーム１２の上面部に畳まれるように倒し込まれて、テーブル本体１１が支持アーム１２と形状を重ねる退避位置まで起こし上げられる。
【００３３】
以上の動きによって、テーブル本体１１を持ち上げるだけの簡単な操作によって、従動部材１４を介したテーブル本体１１の使用位置でのロック状態を解除して、テーブル本体１１を支持アーム１２と形状を重ねた斜めの退避位置に移動させることができる。そして、上記テーブル本体１１を退避位置へ移動させた後、更に図７〜図８に示すようにテーブル本体１１をシート外側へ押し退けるように上方側へ持ち上げて支持アーム１２と共に支持台４の上部に起立させた状態とし、そこからスライダ１３と共に下方側に落とし込むことにより、図４〜図６に示すようにテーブル本体１１を支持台４の内部に収納した状態とすることができる。
【００３４】
以上をまとめると、本実施例のテーブル１０は次のような構成となっている。すなわち、本実施例のテーブル１０は、物載せとなるテーブル本体１１と、テーブル本体１１をベース（支持台４）に対して動かせる状態に連結するテーブル移動装置１０Ｍと、を有する。テーブル移動装置１０Ｍは、テーブル本体１１をベース（支持台４）に連結された支持アーム１２に対して、所定の退避角度まで起こし上げた退避位置と、物載せとして使用可能な水平角度まで落とし込んだ使用位置と、の間で起倒回転させられる状態に連結すると共に、テーブル本体１１と支持アーム１２との間にテーブル本体１１の起倒回転する動きに追従して動く従動部材１４を有した構成となっている。
【００３５】
従動部材１４は、テーブル本体１１と支持アーム１２とにそれぞれ回転可能に連結された構成とされ、支持アーム１２は、テーブル本体１１とベース（支持台４）とを繋ぐ繋ぎ方向に伸縮可能な構成とされ、これらの構成により支持アーム１２と従動部材１４とテーブル本体１１とによってスライダリンク機構が構成されている。テーブル本体１１が退避位置の状態では、支持アーム１２が伸張して従動部材１４が支持アーム１２に対して倒伏した姿勢状態をとるが、テーブル本体１１が使用位置に落とし込まれることにより、支持アーム１２が収縮して従動部材１４がテーブル本体１１と支持アーム１２との間で起立した姿勢状態となる。これにより、テーブル本体１１の支持アーム１２との連結部（回転軸１２Ｂ１）から従動部材１４との連結部（回転軸１４Ａ）が位置する側の領域部（横幅領域１１Ｂ）に押下方向の負荷がかけられても、支持アーム１２には従動部材１４を支えとした収縮方向の作用力がかけられる状態として、テーブル本体１１の退避位置に向けての回転移動が規制されるようになっている。
【００３６】
このような構成となっていることにより、テーブル本体１１を使用位置に落とし込む動きによって、支持アーム１２が収縮方向に移動すると共に従動部材１４がつっかえ棒として機能可能に起立した状態となる。これにより、上記従動部材１４がつっかえ棒となって、テーブル本体１１の使用位置での高さ方向のバタつきを抑えることができるようになる。また、上記状態では、テーブル本体１１の支持アーム１２との（回転軸１２Ｂ１）から従動部材１４との連結部（回転軸１４Ａ）が位置する側の領域部（横幅領域１１Ｂ）に押下方向の負荷がかけられても、支持アーム１２には従動部材１４を支えとした収縮方向の作用力（圧縮力）がかけられる状態となるため、テーブル本体１１の退避位置に向けての回転移動が規制される。したがって、テーブル本体１１が退避位置に向かって跳ね上げられてしまう不測の跳ね上がり回転を起こさせないようにすることができる。一方で、テーブル本体１１を退避位置に向けて持ち上げるように操作する時には、支持アーム１２が伸張する方向に操作されるため、テーブル本体１１を簡単に退避位置に戻すことができる。
【００３７】
また、支持アーム１２がテーブル本体１１の回転する半径方向の中間部に連結されており、従動部材１４がテーブル本体１１の支持アーム１２との連結部（回転軸１２Ｂ１）より半径方向の内側の領域部と支持アーム１２との間に連結されている。このような構成となっていることにより、従動部材１４をテーブル本体１１の下部に出張らせにくい状態に設けることができ、テーブル本体１１の下部スペースを広く空けられる構成とすることができる。
【００３８】
また、テーブル本体１１が使用位置に落とし込まれた時の従動部材１４のテーブル本体１１からの起立角度が直角以下となるように設定されている。このような構成となっていることにより、テーブル本体１１の支持アーム１２との連結部（回転軸１２Ｂ１）から従動部材１４との連結部（回転軸１４Ａ）が位置する側の領域部（横幅領域１１Ｂ）に押下方向の負荷がかけられた際に、支持アーム１２には従動部材１４を支えとした収縮方向の作用力（圧縮力）がより安定してかけられやすくなため、テーブル本体１１の退避位置に向けての回転移動をより適切に規制することができる。
【００３９】
以上、本発明の実施形態を１つの実施例を用いて説明したが、本発明は上記実施例のほか各種の形態で実施することができるものである。
【００４０】
例えば、テーブル本体の退避位置は、斜めの角度位置でなくてもよく、垂直な角度位置やその他の角度位置であってもよい。また、テーブル本体の展開・収納の形態は、上記実施例１で示した形態に限定されず、種々の形態を適用可能である。例えば、テーブル本体をベースに対してスライドではなく回転により展開・収納するものや、高さ方向にではなく水平方向に展開・収納するものなどが挙げられる。また、テーブル移動装置は、テーブル本体を必ずしもベースの内部に収納するものでなくてもよく、テーブル本体をベースに対して動かせる状態に連結するものとなっていればよい。
【符号の説明】
【００４１】
１      シート
２      シートバック
３      シートクッション
４      支持台（ベース）
４Ａ    ガイドレール
４Ａ１  レール溝
４Ｂ    開口部
４Ｃ    内部側壁
４Ｃ１  ストッパ面
５      アームレスト
１０    テーブル
１０Ｍ  テーブル移動装置
１１    テーブル本体
１１Ａ  横幅領域
１１Ｂ  横幅領域
１２    支持アーム
１２Ａ  アーム本体
１２Ａ１  回転軸
１２Ａ２  係止部
１２Ａ３  ストッパ片
１２Ｂ  スライド板
１２Ｂ１  回転軸
１３    スライダ
１３Ａ  嵌合部
１４    従動部材
１４Ａ  回転軸
１４Ｂ  回転軸
Ｐ１，Ｐ２  荷重
【図１】
2015217784.tif 000003
【図２】
2015217784.tif 000004
【図３】
2015217784.tif 000005
【図４】
2015217784.tif 000006
【図５】
2015217784.tif 000007
【図６】
2015217784.tif 000008
【図７】
2015217784.tif 000009
【図８】
2015217784.tif 000010
【図９】
2015217784.tif 000011
【図１０】
2015217784.tif 000012
【図１１】
2015217784.tif 000013
【図１２】
2015217784.tif 000014
【図１３】
2015217784.tif 000015
【図１４】
2015217784.tif 000016
【図１５】
2015217784.tif 000017